(57)【要約】【課題】物流時に破損しにくく、また積み重ね状態での複数同時読取りに際しての読取り率の低下を招かず、しかも価格的な観点から実使用が可能なＩＣタグ付き本を提供すること。【解決手段】扁平な袋体の中にＩＣタグ用インレット１０を移動が自由な状態で封入してなる袋状ＩＣタグ３を本の構成部材に用いる。それぞれの本においてＩＣタグ用インレット１０の位置にバラツキが生じるため、ＩＣタグ用インレット１０による凹凸が分散し、局所的な圧力が弱まることから、物流時に重ねたり束ねたりしても破損しにくい。また、積み重ね状態での複数同時読取りに際し、相互干渉が緩和されるので読取り率が低下しない。しかも、大量生産による安価なＩＣタグ用インレットを使用し、これを袋体に封入したものを構成部材に用いるだけであるので、コスト的に見ても実使用が可能である。【選択図】図１
2006297765.tif 000002
【特許請求の範囲】
【請求項１】
扁平な袋体の中にＩＣタグ用インレットを移動が自由な状態で封入してなる袋状ＩＣタグを構成部材に用いたことを特徴とするＩＣタグ付き本。
【請求項２】
構成部材が本文の一枚であることを特徴とする請求項１に記載のＩＣタグ付き本。
【請求項３】
構成部材が表紙であることを特徴とする請求項１に記載のＩＣタグ付き本。
【請求項４】
構成部材が綴込みハガキであることを特徴とする請求項１に記載のＩＣタグ付き本。
【請求項５】
構成部材がカバーであることを特徴とする請求項１に記載のＩＣタグ付き本。
【発明の詳細な説明】
【技術分野】
【０００１】
本発明は、書籍、雑誌等のいわゆる本の技術分野に属し、詳しくは、パッシブ型のＩＣタグを取り付けたＩＣタグ付き本に関するものである。
【背景技術】
【０００２】
近年、外部処理装置との通信を非接触で行うＩＣタグが一般に広く知られるようになってきた。このＩＣタグは、情報を発信するために電池を内蔵しているアクティブ型と、電池を内蔵せずに受けた電波で電力を得て発信するパッシブ型に分類される。このうちパッシブ型のＩＣタグは、リーダライタが電波を使って電力を送り込み、その電力でＩＣが起動するもので、その電波には指示や要求も載っており、リーダライタから電力と命令を同時に受け取るようになっている。そして、ＩＣタグはその指示に対する答えを搬送波と呼ばれる電波に載せて送り出す。電波の到達距離は最大で数メートルと短いが、小型かつ軽量で、アクティブ型に比べると非常に安価に製造できる。そのため、今後はパッシブ型のＩＣタグが多くの商品などに搭載されることが期待されている。
【０００３】
このパッシブ型のＩＣタグは、ＩＣチップとアンテナを備えていさえすればどんな形状であってもよい。例えば、円盤型、円筒型、カード型、箱型などがあるが、いずれも長い方向で数センチほどの大きさである。また、研究開発が進み、価格についても安価になることが見えてきたことから、様々な商品にＩＣタグをつけて物流過程、保管時等における情報管理を可能にすることが提案されている。例えば、書籍、雑誌等の本にＩＣタグを付けることにより、万引き防止機能を付与するのみならず、流通過程において必要な情報の管理を行うようにしたものが提案されている。
【特許文献１】特開２００３−６３６５５号公報
【発明の開示】
【発明が解決しようとする課題】
【０００４】
上記した特許文献１に記載されている書籍、雑誌等の本は、背部の表紙内側にＩＣタグを備えた構造をしており、物流時にＩＣタグが外力により破損しにくいという利点がある。しかしながら、本にＩＣタグを取り付ける場合、背部以外の場所に取り付けるタイプも含めて、量産の都合からＩＣタグの取付け位置は統一されてしまう。このように、ＩＣタグの取付け位置が同じになると、本を複数重ねたり束ねたりした状態で、ゲートアンテナにより複数同時読取りを行う場合、相互干渉が起こり、読取り率が低下するという問題が生じる。
【０００５】
一方、上記したパッシブ型のＩＣタグは、小型化・低価格化に向けての研究開発が行われており、最近では、極小のＩＣチップに外部アンテナを装着し、テープ状にした印刷アンテナインレット型のＩＣタグ用インレットが供給されている。そして、このＩＣタグ用インレットを用いてタグ化することで、各種用途に応じた形態のＩＣタグを製造することができるようになっており、ＩＣタグの普及を図る上においてこの小さくて安価なＩＣタグ用インレットを利用することが望ましいという背景がある。
【０００６】
本発明は、上記のような問題点や事情に鑑みてなされたものであり、その目的とするところは、物流時に破損しにくく、また積み重ね状態での複数同時読取りに際しての読取り率の低下を招かず、しかも価格的な観点から実使用が可能なＩＣタグ付き本を提供することにある。
【課題を解決するための手段】
【０００７】
上記の目的を達成するため、本発明のＩＣタグ付き本は、扁平な袋体の中にＩＣタグ用インレットを移動が自由な状態で封入してなる袋状ＩＣタグを構成部材に用いたことを特徴とするものである。
【０００８】
そして、上記の構成部材が、本文の一枚、表紙、綴込みハガキ、カバー等であることを特徴とするものである。
【発明の効果】
【０００９】
本発明のＩＣタグ付き本は、ＩＣタグ用インレットを移動が自由な状態で封入してなる袋状ＩＣタグを構成部材に用いているので、それぞれの本においてＩＣタグ用インレットの位置にバラツキが生じるため、ＩＣタグ用インレットによる凹凸が分散し、局所的な圧力が弱まることから、物流時に重ねたり束ねたりしても破損しにくい。また、積み重ね状態での複数同時読取りに際し、相互干渉が緩和されるので読取り率が低下しない。しかも、大量生産による安価なＩＣタグ用インレットを使用し、これを袋体に封入したものを構成部材に用いるだけであるので、コスト的に見ても実使用が可能である。
【発明を実施するための最良の形態】
【００１０】
以下、具体例を挙げて本発明の実施の形態について説明する。
【００１１】
図１は本発明に係るＩＣタグ付き本の一例を開いた状態で示す斜視図である。
【００１２】
このＩＣタグ付き本Ｂ1 は、無線綴じ方式の本に適用したものであって、本文１とその背部に糊付けされた表紙２とからなり、本文１の中程に位置する一枚に袋状ＩＣタグ３が用いられている。この袋状ＩＣタグ３は、扁平な袋体の中にＩＣタグ用インレット１０を移動が自由な状態で封入したものである。
【００１３】
袋状ＩＣタグ３は図２に示す手順で作製される。すなわち、図２（ａ）に示す如くページの２倍より僅かに大きな幅の用紙２０を使用し、この用紙２０における下側部分の所定位置にＩＣタグ用インレット１０を静電吸着により仮止めし、次いで、図２（ｂ）に示す如く上側部分の周囲３辺に沿って糊２１を塗布した後、中心線で二つ折りして貼り合わせるとともに除電することにより、図２（ｃ）に示すように、扁平な袋体の中にＩＣタグ用インレット１０が移動が自由な状態で封入された袋状ＩＣタグ３を形成する。この仮止め、糊付け、折り、断裁等の加工を行う一連の工程は、連続用紙を使用してインラインで行うことができる。
【００１４】
ＩＣタグ用インレット１０としては、図３に示すようなものが使用される。このＩＣタグ用インレット１０は、０．０１〜０．５ｍｍ角の小さなＩＣチップ１１（例えばミューチップ）を用い、これに長さ５０〜６０ｍｍの外部アンテナ１２を装着して幅が約１ｍｍのテープ状としたものであり、ＩＣチップ１１はＰＥＴフィルム等の絶縁性のベースフィルム１３上に載置接合され、外部アンテナ１２はそのベースフィルム１３上に印刷により形成される。またＩＣチップ１１は表面及び側面が樹脂封止された状態で外部アンテナ１２に接続される。外部アンテナ１２の略中央部には、その一端が外部アンテナ１２の外縁に達するＬ字状のスリット１４が形成されており、このスリット１４の途中に樹脂封止されたＩＣチップ１１が実装されている。また、ベースフィルム１３にはＩＣチップ１１や外部アンテナ１２を保護するためのカバーフィルムが必要に応じてラミネートされる。この外部アンテナ１２付きのＩＣチップ１１は、アンテナ内蔵型のＩＣチップを用いたものよりは通信距離が長く、広い範囲で用いることができるものであり、本発明で使用できるものとして色々の種類がある。このようなＩＣタグ用インレット１０は、印刷技術によりアンテナを作製することと、超音波接合技術により安価なフィルム素材を利用することで、大量生産でき、安価に供給することができる。このテープ状のＩＣタグ用インレットをロール状に巻き取った状態とし、順次繰り出しながら裁断しつつ、連続用紙における所定位置に一個一個のＩＣタグ用インレット１０を静電吸着により取り付けるようにするのである。
【００１５】
図１に示すＩＣタグ付き本Ｂ1 は、折丁、表紙等の他の構成部材とともに袋状ＩＣタグ３を用いて、既存の無線綴じ機により製造される。すなわち、折丁を丁合する時に上記の袋状ＩＣタグ３を一緒に丁合するのである。そして、製本工程における最後の仕上げ断裁工程において、袋状ＩＣタグ３における周囲の貼り合わせ部分をその中程で断裁する。これにより、図１に示すように、袋状ＩＣタグ３はＩＣタグ用インレット１０が落下しない状態で綴じられ、しかも中のＩＣタグ用インレット１０は袋体の中での移動が自由な状態となる。以下の例でも同様であるが、袋体の内サイズは、縦横ともに収納するＩＣタグ用インレット１０の２倍以上の長さであることが望ましい。
【００１６】
図２で説明したような袋状ＩＣタグ３は、単体で無線綴じ本の他に平綴じ本にも適用できる。しかし、中綴じ機のギャザリングチェーンに鞍掛けする部分を有しないため、そのままでは中綴じ本には適用することができない。中綴じ本に適用するには、図２の袋状ＩＣタグ３に鞍掛け用の紙片を貼り合わせたものを使用する。或いは、図４に示す手順で作製した折丁を使用する。
【００１７】
鞍掛けが可能な折丁の作製手順は次のようである。まず、図４（ａ）に示す如く先に説明した用紙２０に延長部分２０ａを足した幅の用紙２０’を使用するようにし、この用紙２０’における中間部分の所定位置にＩＣタグ用インレット１０を静電吸着により仮止めし、次いで、図４（ｂ）に示す如く上側部分の周囲３辺に沿って糊２１を塗布した後、上側部分を中間部分に貼り合わせ、かつ延長部分２０ａを折り曲げ、同時に除電することにより、図４（ｃ）に示すように、袋状ＩＣタグ３と延長部分２０ａとが連設した折丁４を形成する。この仮止め、糊付け、折り、断裁等の加工を行う一連の工程も、連続用紙を使用してインラインで行うことができる。そして、延長部分２０ａを有する折丁４を用いることにより、袋状ＩＣタグ３を本文の一枚に綴じ込んだ形態の中綴じ本を作製することができる。
【００１８】
図５は本発明に係るＩＣタグ付き本の別の例を示す斜視図である。
【００１９】
このＩＣタグ付き本Ｂ2 も無線綴じ方式の本に適用したものであって、本文１とその背部に糊付けされた表紙２とからなり、表紙２に袋状ＩＣタグ５が用いられている。
【００２０】
無線綴じ機では、丁合された折丁をジョギングにより突き揃えた後、背の部分を２〜４ｍｍ切断し、切断面を引っ掻いて足がかりを付け、そこに接着剤を塗って表紙を貼る。この表紙には継ぎ表紙とくるみ表紙とがある。そこで、継ぎ表紙の形態を採る場合には、図２で説明したのと同様の袋状ＩＣタグを利用し、背と糊代の付いた反対側の表紙を袋状ＩＣタグに貼り合わせたものを表紙に用いて製本する。一方、くるみ表紙の形態を採る場合には、図４で説明したのと同様の延長部分を有し且つ袋状ＩＣタグと延長部分との間に背の部分を有するものを表紙に用いて製本する。
【００２１】
図６は本発明に係るＩＣタグ付き本の別の例をその表紙部を開いた状態で示す斜視図である。
【００２２】
このＩＣタグ付き本Ｂ3 も無線綴じ方式の本に適用したものであって、本文１とその背部に糊付けされた表紙２に加え、表紙部と最初のページの間に位置する綴込みハガキを備えており、この綴込みハガキに袋状ＩＣタグ６が用いられている。このハガキ大の袋状ＩＣタグ６は、サイズは異なるが、図２で説明したのと同様のものを用いる。この袋状ＩＣタグ６には、必要に応じて綴じ側付近に切取り用のミシン目を入れておいてもよい。
【００２３】
図７は本発明に係るＩＣタグ付き本の別の例を示す斜視図である。
【００２４】
このＩＣタグ付き本Ｂ4 も無線綴じ方式の本に適用したものであるが、本文１とその背部に糊付けされた表紙２とからなる本体に加え、本を保護するためのカバー７を備えている。そして、そのカバー７に袋状ＩＣタグ８が用いられている。このようなカバー７を作製するには、図２で説明したのと同様の袋状ＩＣタグ８を使用し、これをカバー７の表裏いずれかに貼り合わせるとよい。或いは、袋状ＩＣタグ８の両側に延長部分を有するものをカバー７に使用するようにしてもよい。
【００２５】
以上、具体例を挙げて本発明を説明したが、本発明によるＩＣタグ付き本は、上記の例に何ら限定されるものではなく、本発明の趣旨を逸脱しない範囲において種々の変更が可能であることは当然のことである。
【００２６】
例えば、上記の説明では、本文の一枚、表紙、綴込みハガキ、カバーに袋状ＩＣタグを利用した場合を例に挙げたが、袋状ＩＣタグを用いた構成部材としては、その他にも、帯紙、売上げスリップ等が挙げられる。
【００２７】
また、無線綴じ方式の本に適用した例を挙げたが、本発明は、中綴じ、アジロ綴じ、かがり綴じ、或いは並製本、上製本と種々ある製本様式を問わず、いかなる製本様式の本についても適用できる。
【図面の簡単な説明】
【００２８】
【図１】本発明に係るＩＣタグ付き本の一例を開いた状態で示す斜視図である。
【図２】袋状ＩＣタグの作製手順を示す説明図である。
【図３】本発明で使用するＩＣタグ用インレットの一例示す平面図である。
【図４】別の袋状ＩＣタグの作製手順を示す説明図である。
【図５】本発明に係るＩＣタグ付き本の別の例を示す斜視図である。
【図６】本発明に係るＩＣタグ付き本の別の例をその表紙部を開いた状態で示す斜視図である。
【図７】本発明に係るＩＣタグ付き本の別の例を示す斜視図である。
【符号の説明】
【００２９】
Ｂ1 ，Ｂ2 ，Ｂ3 ，Ｂ4   ＩＣタグ付き本
１  本文
２  表紙
３  袋状ＩＣタグ
４  折丁
５  袋状ＩＣタグ
６  袋状ＩＣタグ
７  カバー
８  袋状ＩＣタグ
１０  ＩＣタグ用インレット
１１  ＩＣチップ
１２  外部アンテナ
１３  ベースフィルム
１４  スリット
２０，２０’  用紙
２０ａ  延長部分
２１  糊
【図１】
2006297765.tif 000003
【図２】
2006297765.tif 000004
【図３】
2006297765.tif 000005
【図４】
2006297765.tif 000006
【図５】
2006297765.tif 000007
【図６】
2006297765.tif 000008
【図７】
2006297765.tif 000009